(57)【要約】【課題】内枠がない育苗トレイにも対応可能で、別個の部品を必要とせず、簡易な構成で表示板を見やすい姿勢とすることができる表示板付き育苗トレイを提供する。【解決手段】情報表示部Ｇの下方であって外枠１ａに接触する接触側縁３ａに、表示板受け溝２に立姿勢で受け入れられる差し込み片４と、この差し込み片４が表示板受け溝２に立姿勢で受け入れられた状態で、接触側縁３ａが接触している外枠１ａを内側と外側とで挟み込む一対の挟み突部５（内側挟み突部５Ａと外側挟み突部５Ｂ）とが形成されている。【選択図】図１
2010172292.tif 000002
【特許請求の範囲】
【請求項１】
複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、
前記表示板は、一枚の平らな平面維持性のあるシートで構成され、その表面には前記育苗ポットに植栽される植物に関する情報が表示される情報表示部が設けられ、
前記情報表示部の下方であって前記外枠に接触する接触側縁に、前記表示板受け溝に立姿勢で受け入れられる前記差し込み片と、前記差し込み片が前記表示板受け溝に立姿勢で受け入れられた状態で、前記接触側縁が接触している外枠を内側と外側とで挟み込む一対の挟み突部と、を形成したことを特徴とする表示板付き育苗トレイ。
【請求項２】
複数の育苗ポットを縦横に配列した状態で収容する育苗トレイであって、
前記育苗トレイの外枠の上辺に、前記育苗ポットに植栽される植物に関する情報を表示する表示板の差し込み片を立姿勢で受け入れる表示板受け溝が設けられ、
前記表示板は、一枚の平らな平面維持性のあるシートで構成され、その表面には前記育苗ポットに植栽される植物に関する情報が表示される情報表示部が設けられ、前記情報表示部の下方であって前記外枠に接触する接触側縁に、前記表示板受け溝に立姿勢で受け入れられる前記差し込み片と、と一対の挟み突部が形成されたものであり、
前記一対の挟み突部は、前記差し込み片が前記表示板受け溝に立姿勢で受け入れられた状態で、前記接触側縁が接触している外枠を内側と外側とで挟み込むものであることを特徴とする育苗トレイ。
【請求項３】
表示板受け溝は、受け入れられた表示板の差し込み片を差し込み方向と直交する方向に屈曲させる、該受け溝の内側方向への小突部を備えていることを特徴とする請求項２記載の育苗トレイ。
【請求項４】
複数の育苗ポットを縦横に配列した状態で収容する育苗トレイに用いられ、前記育苗ポットに植栽される植物に関する情報を表示する育苗トレイ用の表示板であって、
前記表示板は、一枚の平らな平面維持性のあるシートで構成され、その表面には前記育苗ポットに植栽される植物に関する情報が表示される情報表示部が設けられ、前記情報表示部の下方であって前記外枠に接触する接触側縁に、前記育苗トレイに設けられた表示板受け溝に立姿勢で受け入れられる差し込み片と、一対の挟み突部とが形成されたものであり、
前記一対の挟み突部は、前記差し込み片が前記表示板受け溝に立姿勢で受け入れられた状態で、前記接触側縁が接触している外枠を内側と外側とで挟み込むものであることを特徴とする育苗トレイ用の表示板。
【請求項５】
差し込み片の基部側に、前記差し込み片が表示板受け溝に差し入れられた状態で、該差し込み片の抜き出しを防止する抜き出し止め部が設けられたことを特徴とする請求項４記載の育苗トレイ用の表示板。
【発明の詳細な説明】
【技術分野】
【０００１】
本発明は、複数の育苗ポットを縦横に配列した状態で収容する育苗トレイと、前記育苗ポットに植栽される植物に関する情報を表示する表示板とを備えた表示板付き育苗トレイ、及び、この表示板付き育苗トレイに用いる育苗トレイと表示板とに関する。
【背景技術】
【０００２】
育苗トレイに収容された育苗ポットに植栽される植物に関する情報を表示するようにしたものについては、例えば、図７（ａ）に示すように、育苗トレイ１１の外枠１１ａの外側に、両面テープ１４で表示板１３を貼り付けるようにした表示板付き育苗トレイ１５がある。
【０００３】
しかしながら、このトレイ１５においては、いちいち、外枠１１ａの外側に両面テープ１４を貼り付ける、この両面テープ１４の剥離紙を剥がすという手間がかかり、張り直しの場合にも煩雑であり、その解決が望まれていた。
【０００４】
図５（ｂ）に示す表示板付き育苗トレイ１７は、育苗トレイ１１の外枠１１ａに、表示板取付具１６を介して、表示板１３を取り付けたものである。
【０００５】
このトレイ１７においては、表示板１３を取り付けるのに、取付具１６という別個の部品が必要となり、費用節減、省資源の観点から改善が求められていた。
【０００６】
一方、特許文献１の表示板付き育苗トレイは、両面テープの煩雑さの問題の解決は図られているが、表示板に相当する表示タグ（１０）には、トレイへの掛け止めの為の剛性のある折り曲げ部（１３）が必要であり、安価な平面状のシート状とすることが出来なかった。
【０００７】
また、特許文献２の表示板付き育苗トレイは、表示板を取りつける相手方の育苗トレイが内枠付き（特許文献２では、仕切り６）のものに限定されていた。更に、特許文献３、４にも表示板付き育苗トレイが記載されているが、いずれも、表示板を取りつける相手方の育苗トレイが内枠付きのものに限定されていた。
【先行技術文献】
【特許文献】
【０００８】
【特許文献１】特開２００６−２０４１２７号公報（図１）
【特許文献２】特開２００６−１６７４６２号公報（図１）
【特許文献３】特開２００２−２０９４５０号公報（図１）
【特許文献４】実用新案登録第３０５５８９７号公報（図２）
【発明の概要】
【発明が解決しようとする課題】
【０００９】
本発明は、上記問題を解決しようとするもので、内枠がない育苗トレイにも対応可能で、別個の部品を必要とせず、簡易な構成で表示板を見やすい姿勢とすることができる表示板付き育苗トレイ、及び、この表示板付き育苗トレイに用いる育苗トレイと表示板とを提供することを目的としている。
【課題を解決するための手段】
【００１０】
請求項１記載の表示板付き育苗トレイは、複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、前記表示板は、一枚の平らな平面維持性のあるシートで構成され、その表面には前記育苗ポットに植栽される植物に関する情報が表示される情報表示部が設けられ、
前記情報表示部の下方であって前記外枠に接触する接触側縁に、前記表示板受け溝に立姿勢で受け入れられる前記差し込み片と、前記差し込み片が前記表示板受け溝に立姿勢で受け入れられた状態で、前記接触側縁が接触している外枠を内側と外側とで挟み込む一対の挟み突部と、を形成したことを特徴とする。
【００１１】
請求項２記載の育苗トレイは、複数の育苗ポットを縦横に配列した状態で収容する育苗トレイであって、前記育苗トレイの外枠の上辺に、前記育苗ポットに植栽される植物に関する情報を表示する表示板の差し込み片を立姿勢で受け入れる表示板受け溝が設けられ、
前記表示板は、一枚の平らな平面維持性のあるシートで構成され、その表面には前記育苗ポットに植栽される植物に関する情報が表示される情報表示部が設けられ、前記情報表示部の下方であって前記外枠に接触する接触側縁に、前記表示板受け溝に立姿勢で受け入れられる前記差し込み片と、と一対の挟み突部が形成されたものであり、前記一対の挟み突部は、前記差し込み片が前記表示板受け溝に立姿勢で受け入れられた状態で、前記接触側縁が接触している外枠を内側と外側とで挟み込むものであることを特徴とする。
【００１２】
請求項３記載の育苗トレイは、請求項２に従属し、表示板受け溝は、受け入れられた表示板の差し込み片を差し込み方向と直交する方向に屈曲させる、該受け溝の内側方向への小突部を備えていることを特徴とする。
【００１３】
請求項４記載の育苗トレイ用の表示板は、複数の育苗ポットを縦横に配列した状態で収容する育苗トレイに用いられ、前記育苗ポットに植栽される植物に関する情報を表示する育苗トレイ用の表示板であって、
前記表示板は、一枚の平らな平面維持性のあるシートで構成され、その表面には前記育苗ポットに植栽される植物に関する情報が表示される情報表示部が設けられ、前記情報表示部の下方であって前記外枠に接触する接触側縁に、前記育苗トレイに設けられた表示板受け溝に立姿勢で受け入れられる差し込み片と、一対の挟み突部とが形成されたものであり、
前記一対の挟み突部は、前記差し込み片が前記表示板受け溝に立姿勢で受け入れられた状態で、前記接触側縁が接触している外枠を内側と外側とで挟み込むものであることを特徴とする。
【００１４】
請求項５記載の育苗トレイ用の表示板は、請求項４に従属し、差し込み片の基部側に、前記差し込み片が表示板受け溝に差し入れられた状態で、該差し込み片の抜き出しを防止する抜き出し止め部が設けられたことを特徴とする。
【発明の効果】
【００１５】
請求項１記載の表示板付き育苗トレイによれば、複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、前記表示板は、一枚の平らな平面維持性のあるシートで構成され、その表面には前記育苗ポットに植栽される植物に関する情報が表示される情報表示部が設けられ、
前記情報表示部の下方であって前記外枠に接触する接触側縁に、前記表示板受け溝に立姿勢で受け入れられる前記差し込み片と、前記差し込み片が前記表示板受け溝に立姿勢で受け入れられた状態で、前記接触側縁が接触している外枠を内側と外側とで挟み込む一対の挟み突部と、を形成したので、内枠がない育苗トレイにも対応可能で、別個の部品を必要とせず、簡易な構成で表示板を見やすい姿勢とすることができる。
【００１６】
請求項２記載の育苗トレイによれば、請求項１の表示板付き育苗トレイに用いるものであるので、請求項１の効果を、育苗トレイとして発揮する。
【００１７】
請求項３記載の育苗トレイによれば、請求項２の効果に加え、表示板受け溝は、受け入れられた表示板の差し込み片を差し込み方向と直交する方向に屈曲させる、該受け溝の内側方向への小突部を設けたので、差し込み片が薄い場合にも、受け溝内で確実に表示板の立姿勢を維持させることができる。
【００１８】
請求項４記載の育苗トレイ用の表示板によれば、請求項１の表示板付き育苗トレイに用いるものであるので、請求項１の効果を、表示板として発揮する。
【００１９】
請求項５記載の育苗トレイ用の表示板によれば、請求項４の効果に加え、差し込み片の基部側に、前記差し込み片が表示板受け溝に差し入れられた状態で、該差し込み片の抜き出しを防止する抜き出し止め部が設けられたので、差し込み片の抜き出しを防止することができる。
【図面の簡単な説明】
【００２０】
【図１】本発明の表示板付き育苗トレイの一例を示すもので、（ａ）は、その外観斜視図、（ｂ）は、（ａ）と異なる態様で表示板が設置された表示板付き育苗トレイの外観斜視図
【図２】図１の育苗トレイを示すもので、（ａ）は、その平面図、（ｂ）は、その側面図、（ｃ）は（ａ）の表示板受け溝部分の拡大図、（ｄ）は、（ｃ）のＡＡ断面図
【図３】図１の表示板を示すもので、（ａ）は、その平面図、（ｂ）は、その側面図、（ｃ）は、（ａ）の差し込み片部分の拡大図
【図４】（ａ）は、図１（ａ）の内側挟み突部部分の拡大縦断面図、（ｂ）は、図１（ａ）の外側挟み突部部分の拡大縦断面図、（ｃ）は、図１（ａ）の表示板を上方から見た状態を示す図
【図５】（ａ）は、図１の差し込み片部分の拡大横断面図、（ｂ）は、（ａ）のＢＢ矢視断面図
【図６】本発明の育苗トレイの他例を示すもので、（ａ）は、その平面図、（ｂ）は、その側面図、（ｃ）は（ａ）の表示板受け溝部分の拡大図、（ｄ）は、（ｃ）のＣＣ断面図
【図７】（ａ）、（ｂ）は、背景技術である表示板付き育苗トレイを例示する要部断面図
【発明を実施するための形態】
【００２１】
以下に、本発明の実施の形態について、図面を用いて説明する。
【実施形態１】
【００２２】
図１は、本発明の表示板付き育苗トレイの一例を示すもので、（ａ）は、その外観斜視図、（ｂ）は、（ａ）と異なる態様で表示板が設置された表示板付き育苗トレイの外観斜視図である。
【００２３】
図１の表示板付き育苗トレイ１０は、複数の育苗ポットＰを縦横に配列した状態で収容する育苗トレイ１（図２）と、この育苗ポットＰに植栽される植物に関する情報を表示する育苗トレイ用の表示板３（図３）とを備えたものであって、以下の点を特徴とする。
【００２４】
１）育苗トレイ１の外枠１ａの上辺に、表示板３の差し込み片４を立姿勢で受け入れる表示板受け溝２が設けられている。
【００２５】
２）表示板３は、一枚の平らな平面維持性のあるシートで構成され、その表面には育苗ポットＰに植栽される植物に関する情報が表示される情報表示部Ｇが設けられている。
【００２６】
３）情報表示部Ｇの下方であって外枠１ａに接触する接触側縁３ａに、表示板受け溝２に立姿勢で受け入れられる前記差し込み片４と、この差し込み片４が表示板受け溝２に立姿勢で受け入れられた状態で、接触側縁３ａが接触している外枠１ａを内側と外側とで挟み込む一対の挟み突部５（内側挟み突部５Ａと外側挟み突部５Ｂ）とが形成されている。
【００２７】
以下、図面は前後するが、先に図２、３を用いて、育苗トレイ１、表示板３について、より詳しく説明する。
【００２８】
図２は、図１の育苗トレイを示すもので、（ａ）は、その平面図、（ｂ）は、その側面図、（ｃ）は（ａ）の表示板受け溝部分の拡大図、（ｄ）は、（ｃ）のＡＡ断面図である。これより、既に説明した部分には同じ符号を付して重複説明を省略する。
【００２９】
図２の育苗トレイ１は、既述の構成に加えて、外枠１ａの内側を縦６列、横４列にそれぞれ育苗ポットＰを収容する個別収容部Ｕを形成するように区画する内枠１ｂを備えている。この縦横の列数は、この例に限定されるものではない。
【００３０】
各個別収容部Ｕは、外枠１ａ及び内枠１ｂから下方に伸びた側壁枠１ｃと、この側壁枠１ｃの下方端部分を連結する底枠１ｄとを備えていて、育苗ポットＰをしっかりと収容し、保持することができる。
【００３１】
外枠１ａの上辺に設けられた表示板受け溝２は、この上辺を貫通するもので、外枠１ａの長手方向に伸びた溝形状となっている。表示板受け溝２の溝幅は、ここに受け入れられる差し込み片４の厚さ（表示板３の厚さ）より大きく、この差し込み片４の厚さの２倍程度か、この２倍より小さいものとなっている。表示板受け溝２の長手方向の長さを溝長さをＬ０とする。
【００３２】
表示板受け溝２は、この例では、長方形状の外枠１ａの、長い方と短い方とのそれぞれに溝間距離が等しくなるように、２箇所ずつ、合計８箇所設けられている。また、それぞれの表示板受け溝２は、４つの同列の個別収容部Ｕの両端のそれぞれ中央位置となる部分の外枠１ａに設けられている。
【００３３】
これにより、横長の表示板３の２つの差し込み片４をそれぞれの表示板受け溝２に差し込んで、この表示板３を横長状態で、育苗トレイ１の外枠１ａにしっかり固定することができると共に、外枠１ａの長い方と、短い方のどちらにでも、同じ表示板３を固定することができる。
【００３４】
表示板受け溝２には、溝内側に溝幅方向に突起する小突部２ａが設けられている。この例では、小突部２ａは、溝２の外から内向きに溝長手方向長さを４等分する位置に三箇所、溝２の内から外向きに、前記三箇所の小突起２ａの中間に位置するように２箇所で、合計５つ設けられている。
【００３５】
この受け溝２の内側方向への小突部２ａは、この表示板受け溝２に受け入れられる差し込み片４を、その差し込み方向に直交する方向に屈曲させるものである。その作用効果については、図５（ａ）を用いて後述する。
【００３６】
育苗トレイ１の素材としては、プラスチック、あるいは、生分解性プラスチックが好適である。また、育苗トレイを、パルプを成形したパルプモールドとしてもよい。
【００３７】
図３は、図１の表示板を示すもので、（ａ）は、その平面図、（ｂ）は、その側面図、（ｃ）は、（ａ）の差し込み片部分の拡大図である。
【００３８】
表示板３は、図３に示すように、一枚の平らな平面維持性のあるシートを、育苗トレイ１の外枠１ａに取り付けて、表示手段として用いることができる程度の大きさ、形状としたものである。
【００３９】
表示板３の素材としては、耐水性のある紙シート、印刷性の良い合成樹脂シート、合成樹脂シートに紙を貼り合わせたもの等を適宜選択することが出来るが、プラスチック合成紙や、ポリプロピレン（ＰＰ）合成紙が、好適であり、具体的には、王子油化の「ユポ（登録商標）」や、ペットボトル再生合成紙や、生分解プラスチック合成紙が良い。
【００４０】
表示板３の情報表示部Ｇの下方側であって、育苗トレイ１の外枠１ａに載置接触される接触側縁３ａには、２か所の差し込み片４と、その間に、この差し込み片４が表示板受け溝２に立姿勢で受け入れられた状態で、接触側縁３ａが接触している外枠１ａを内側と外側とで挟み込む一対の挟み突部５（内側挟み突部５Ａと外側挟み突部５Ｂ）とが相互に隣接して設けられている。
【００４１】
この表示板３は、不使用状態では、凹凸の無い平らな状態のものであり、平板状のシートの接触側縁３ａに、２か所の差し込み片４と一対の挟み突部５とを、全体の打ち抜き工程時に同時に形成できるので、安価に製造することができる。
【００４２】
また、凹凸が無いので、積層積み重ねする場合にも余分な上下方向の場所を取らず、スペース効率よく積層することができるので、保管、運搬にも有利である。
【００４３】
表示板３には、差し込み片４の中央位置となる部分に、必要に応じて、差し込み片４の立姿勢維持強度を高めるための折り目線３ｂが設けられている。この折り目線３ｂは、差し込み片４への僅かな凹み線であり、これにより、この差し込み片４を小突部２ａを備えた表示板受け溝２に差し込んだ際の立姿勢維持強度が高まる。
【００４４】
差し込み片４は、全体としては舌形状をしており、その基部４ａは表示板３の本体側と連続しており、差し込み片４を立位に維持するための基部となるものである。
【００４５】
この舌形状の先端部分を舌部４ｃ、この舌部４ｃの基部４ａを形成する凹部分の舌部側を抜き出し止め部４ｂと称する。舌部４ｃは、差し込み片４を表示板受け溝２に差し込む際の案内となるもので、この差し込みをやりやすくするものである。
【００４６】
抜き出し止め部４ｂは、一対で設けられ、その外幅寸法Ｌ２が、表示板受け溝２の溝長さＬ０より長くなっており、一方、前記凹部分の底部分となる狭隘な内幅寸法Ｌ１は、表示板受け溝２の溝長さＬ０より短くなっている。
【００４７】
こうして、この抜き出し止め部４ｂは、図５（ｂ）でも後述するように、差し込み片４が表示板受け溝２に差し入れられた状態で、差し込み片４の抜き出しを防止するものとなっている。
【００４８】
一対の挟み突部５は、外枠１ａの内側となる内側挟み突部５Ａと、外側となる外側挟み突部５Ｂとを備えている。これらの接触側縁３ａからの伸び出し長さは、図３（ａ）でも解る様に、差し込み片４の伸び出し長さより長くなっており、差し込み片４が育苗トレイ１の外枠１ａの表示板受け溝２に入り込む前に、該外枠１ａの両側に接触するようになっている。
【００４９】
一対の挟み突部５の内側挟み突部５Ａには、その先端側に一対の横方向突起５ａが設けられている。これらの横方向突起５ａは、表示板３に設置された状態で育苗トレイ１の内枠１ｂの下方に位置して、表示板３に上方へ抜き出す力が作用した場合に、内枠１ｂの下方に接触して、極力、表示板３の抜き出しを抑制する働きをする。
【００５０】
また、この表示板３では、接触側縁３ａに、２つの差し込み片４と、その間に形成された一対の挟み突部５とが設けられているが、差し込み片４の形成箇所数や、一対の挟み突部５の形成箇所数は、育苗トレイの大きさ、この育苗トレイに対応した表示板の大きさや、内枠の数や配置に対応して適宜選択されるものである。
【００５１】
上記のような構成の表示板受け溝２を備えた育苗トレイ１と、差し込み片４と一対の挟み突部５とを備えた表示板３とを組み合わせた表示板付き育苗トレイ１０について、以下、図１と、図４及び図５を用いて、その作用効果を説明する。
【００５２】
表示板３を育苗トレイ１に取り付ける場合には、平面状の表示板３を外枠１ａの上方に位置させ、一対の挟み突部５の内側挟み突部５Ａが外枠１ａの内側に、外側挟み突部５Ｂが外枠１ａの外側となるようにして、差し込み片４の舌部４ｃが育苗トレイ１の表示板受け溝２にまっすぐ受け入れられるようにするだけでよい。
【００５３】
そうすると、表示板３は、育苗トレイ１に図１（ａ）に示したような状態で取り付けられる。あるいは、表示板３に情報表示部Ｇが表示板３の両側表面に表示されている場合には、表示板３を図１（ｂ）のような状態で取り付けることができる。
【００５４】
ここで、図４（ａ）は、図１（ａ）の内側挟み突部部分の拡大縦断面図、（ｂ）は、図１（ａ）の外側挟み突部部分の拡大縦断面図、（ｃ）は、図１（ａ）の表示板を上方から見た状態を示す図である。
【００５５】
図１（ａ）及び図４で明確に示されているように、差し込み片４が表示板受け溝２に立姿勢で差し込まれ、この状態で、内側挟み突部５Ａが外枠１ａの内側に接触し、外側挟み突部５Ｂが外枠１ａの外側に接触し、両者で、外枠１ａを挟んだ状態となり、自然に、表示板３の育苗ポットＰに植栽される植物に関する情報表示部Ｇが見やすいように、表示板３が直立した状態で育苗トレイ１に取り付けられる。
【００５６】
また、図４（ａ）、（ｂ）と、この状態の表示板３を上方から見た図４（ｃ）とから解る様に、表示板３の両側は、差し込み片４が表示板受け溝２に受け入れられる事により外枠１ａの幅中心に位置し、内側挟み突部５Ａは外枠１ａの内側に位置し、かつ、外側挟み突部５Ｂが外枠１ａの外側に位置する。
【００５７】
こうして、表示板３は、その可撓性の範囲で柔軟に屈曲して一定の挟み付け力により、外枠１ａを挟み、これにより表示板３の立姿勢を維持している。
【００５８】
この際、図１（ａ）に示すように、内側挟み突部５Ａの横方向突起５ａが、内枠１ｂの下方に位置して、表示板３に上方へ抜き出す力が作用した場合に、内枠１ｂの下方に接触して、極力、表示板３の抜きだしを抑制する。
【００５９】
ここで、図５（ａ）は、図１の差し込み片部分の拡大横断面図、（ｂ）は、（ａ）のＢＢ矢視断面図である。
【００６０】
図５（ａ）に示されたように、表示板３の差し込み片４は、育苗トレイの表示板受け溝２に設けられた小突部２ａにより、その差し込み方向とは直交する方向に波形状に屈曲されている。
【００６１】
これにより、たとえ、表示板３が薄いものであっても、この薄さに対して広めの表示板受け溝２の中で、差し込み片４が水平方向にがたつくことがなく、差し込み片４の立姿勢がきちんと保持された状態で、受け入れられる。したがって、この観点からは、表示板３をより薄いものとすることができる。
【００６２】
このような小突部２ａの機能を考慮すると、表示板受け溝２の溝長さＬ０にも関係するが、その個数は少なくとも１個以上であればよく、また、小突部２ａは、本例示のように受け溝２内面に対向するように設けるのが良い。
【００６３】
また、図５（ｂ）に示されたように、表示板３の差し込み片４の舌部４ｃが表示板受け溝２に差し込まれた状態では、抜き出し止め部４ｂにより、この舌部４ｃ（つまり、差し込み片４）の抜き出しが防止される。
【００６４】
なお、意図的に抜き出したい場合には、差し込み片４を、その内幅寸法Ｌ１と表示板受け溝２の溝長さＬ０の差分だけ溝長さ方向に移動させれば、一方の抜き出し止め部４ｂを受け溝２の一端から覗かせるようにでき、その後、差し込み片４を逆方向に移動させれば、同様にして、他方の抜け出し止め部４ｂを受け溝２の他端から覗かせて、舌部４ｃを受け溝２から抜き出すことができる。
【００６５】
また、この表示板３は、育苗トレイ１の外枠１ａを一対の挟み突部５で挟むものなので、内枠の有無に関係なく育苗トレイに取りつけることができる。また、必要な部品は、表示板３だけなので、別個の部品が必要とされない。更に、両面テープを用いないので、両面テープを用いる場合の煩雑さがなく、表示板の繰り返し使用が可能である。
【００６６】
更に、育苗トレイ１への追加加工は、表示板受け溝２だけなので、成形型の対応もしやすく、表示板３も単なるシート状のものに外形形状を抜き加工しただけのものであり、製造コストも安価なものとすることができる。
【００６７】
こうして、この表示板付き育苗トレイ１０によれば、内枠がない育苗トレイにも対応可能で、表示板を見やすい姿勢とすることができ、別個の部品を必要とせず、簡易な構成で費用節減、省資源化を可能とすることができる。
【００６８】
また、この表示板付き育苗トレイ１０を構成する育苗トレイ１によれば、上記表示板付き育苗トレイ１０の効果を、育苗トレイとして発揮することができる。この表示板付き育苗トレイ１０を構成する育苗トレイ用の表示板３によれば、上記表示板付き育苗トレイ１０の効果を、表示板として発揮することができる。
【実施形態２】
【００６９】
図６は、本発明の育苗トレイの他例を示すもので、（ａ）は、その平面図、（ｂ）は、その側面図、（ｃ）は（ａ）の表示板受け溝部分の拡大図、（ｄ）は、（ｃ）のＣＣ断面図である。
【００７０】
この育苗トレイ１Ａは、図２の育苗トレイ１と比べて、個別収容部がない点が異なっている。つまり、外枠１ｅの内側を区画する内枠がなく、外枠１ｅの下方からは、全体に渡る側壁枠１ｆが伸びだし、この側壁枠１ｆの下端部分を底壁枠１ｇで連結したものとなっている。
【００７１】
育苗ポットＰは、この外枠１１ｅの内側に区画されることなく縦横に配列されて収容される。
【００７２】
実施形態１の表示板付き育苗トレイ１０の上記説明から解るように、本発明の育苗トレイと表示板とは、育苗トレイの内側部分の構成、具体的には、区画の有無、個別収容部の有無には拘束されないものである。
【００７３】
よって、この育苗トレイ１０Ａによれば、表示板付き育苗トレイ１０と同様の効果が、表示板付き育苗トレイ、育苗トレイ、表示板として発揮される。
【００７４】
なお、このような内枠のない育苗トレイに用いる場合、内側挟み突部には、一対の横方向突起は必要なく、外側挟み突部と同様の形状とすることができる。
【００７５】
なお、本発明の表示板付き育苗トレイ、及び、この表示板付き育苗トレイに用いる育苗トレイと表示板は、上記の実施形態に限定されず、特許請求の範囲に記載された範囲、実施形態の範囲で、種々の変形例、組み合わせが可能である。
【産業上の利用可能性】
【００７６】
本発明の表示板付き育苗トレイ、及び、この表示板付き育苗トレイに用いる育苗トレイと表示板は、内枠がない育苗トレイにも対応可能で、別個の部品を必要とせず、簡易な構成で表示板を見やすい姿勢とすることが要請される産業分野に用いることができる。
【符号の説明】
【００７７】
１、１Ａ    育苗トレイ
１ａ、１ｆ    外枠
２      表示板受け溝
２ａ    小突部
３      育苗トレイ用の表示板
３ａ    接触側縁
４      差し込み片
４ａ    基部
４ｂ    抜き出し止め部
４ｃ    舌部
５      一対の挟み突部
５Ａ    内側挟み突部
５Ｂ    外側挟み突部
５ａ    横方向突起
１０      表示板付き育苗トレイ
Ｐ      育苗ポット
Ｇ      情報表示部
【図１】
2010172292.tif 000003
【図２】
2010172292.tif 000004
【図３】
2010172292.tif 000005
【図４】
2010172292.tif 000006
【図５】
2010172292.tif 000007
【図６】
2010172292.tif 000008
【図７】
2010172292.tif 000009